(57)【特許請求の範囲】
【請求項１】
補助壁を上下の横枠と左右の縦枠とで構成される矩形状の取付枠及び該取付枠の中央開口を覆う面板で構成し、取付枠の上下の横枠を天井と床の夫々に固着すると共に該取付枠の両側の縦枠の上下両端部を上下の横枠に固着して建物壁の前面に沿って面板を配設する補助壁の取付構造であって、
面板を前面側の化粧板と化粧板の下部の後面側に配設される補強板とで構成し、取付枠の縦枠は、中空型材からなる外枠体と、外枠体内に上下方向に移動自在に収納される内枠体とで構成され、内枠体の外枠体からの上方への突出長さを調節することで伸縮可能なものとし、外枠体の取付枠の内側に位置する側面部に外面側が取付枠の内側に開口した外枠溝となり且つ内面側が外枠体の内方に突出する突曲面となった曲成部を形成し、外枠溝の後部の溝底を前部の溝底よりも一段深くして補強板嵌込溝を形成し、内枠体に取付枠の内側に開口する内枠溝を形成し、外枠体に挿入された内枠体の内枠溝に外枠体の曲成部を上下方向に移動自在に挿入し、内枠体の上端部と外枠体の下端部を上下の横枠の夫々に固着すると共に、外枠体から上方に突出した内枠体の内枠溝内の後部に化粧板受け具を配設して化粧板受け具の前面と内枠溝の前側の内面との間に化粧板上部挿入溝を形成し、補強板の側端部を外枠溝の補強板嵌込溝に嵌め込み、該補強板の前面と外枠溝の前側の内面との間に化粧板下部挿入溝を形成し、化粧板の上部を化粧板上部挿入溝に挿入すると共に下部を化粧板下部挿入溝に挿入し、該化粧板の上部の前面と内枠溝の前側の内面との間に隙間隠し部材を挿入し、化粧板の上部の側端部の後面を化粧板受け具の前面に当接して成ることを特徴とする補助壁の取付構造。
【発明の詳細な説明】
【技術分野】
【０００１】
本発明は薄型テレビ等が取り付けられて利用される補助壁の取付構造に関する。
【背景技術】
【０００２】
従来、薄型テレビ等の被取付物を設置するにあたって、被取付物を建物壁の前面に沿って立設した補助壁に取り付けることが行われており、この補助壁としては例えば特許文献１に示すものが知られている。この補助壁は、取付枠及び該取付枠の前面に複数設けた前板を備え、取付枠を建物壁の前面に沿って配置し、該取付枠の上下の横枠を天井と床の夫々に固着してある。
【０００３】
ところで上記補助壁は取付枠の高さを変更することができないため、補助壁の施工場所において床面からの天井高さが異なる場合には、取付枠の左右の縦枠をその長さが天井高さと一致する長さに切断する必要があり、非常に面倒であり、また、この方法により縦枠の長さを天井高さと一致する長さにすることは非常に難しい。
【特許文献１】特開２００７−２２４６１９号公報
【発明の開示】
【発明が解決しようとする課題】
【０００４】
本発明は上記従来の問題点に鑑みてなされたものであって、補助壁の施工時に取付枠の高さを床面からの天井高さに簡単に調節でき補助壁の施工が容易にできる補助壁の取付構造を提供することを課題とするものである。
を提供することを課題とするものである。
【課題を解決するための手段】
【０００５】
上記課題を解決するために本発明に係る補助壁の取付構造は、補助壁２を上下の横枠４ａ、４ｂと左右の縦枠４ｃ、４ｄとで構成される矩形状の取付枠４及び該取付枠４の中央開口を覆う面板６で構成し、取付枠４の上下の横枠４ａ、４ｂを天井と床の夫々に固着すると共に該取付枠４の両側の縦枠４ａ、４ｂの上下両端部を上下の横枠４ａ、４ｂに固着して建物壁３の前面に沿って面板６を配設する補助壁の取付構造であって、面板６を前面側の化粧板６ａと化粧板６ａの下部の後面側に配設される補強板６ｂとで構成し、取付枠４の縦枠４ｃ、４ｄは、中空型材からなる外枠体１２と、外枠体１２内に上下方向に移動自在に収納される内枠体１３とで構成され、内枠体１３の外枠体１２からの上方への突出長さを調節することで伸縮可能なものとし、外枠体１２の取付枠４の内側に位置する側面部に外面側が取付枠４の内側に開口した外枠溝１７ａとなり且つ内面側が外枠体１２の内方に突出する突曲面１７ｂとなった曲成部１７を形成し、外枠溝１７ａの後部の溝底を前部の溝底よりも一段深くして補強板嵌込溝１９を形成し、内枠体１３に取付枠４の内側に開口する内枠溝２５ａを形成し、外枠体１２に挿入された内枠体１３の内枠溝２５ａに外枠体１２の曲成部１７を上下方向に移動自在に挿入し、内枠体１３の上端部と外枠体１２の下端部を上下の横枠４ａ、４ｂの夫々に固着すると共に、外枠体１２から上方に突出した内枠体１３の内枠溝２５ａ内の後部に化粧板受け具３９を配設して化粧板受け具３９の前面と内枠溝２５ａの前側の内面との間に化粧板上部挿入溝４３を形成し、補強板６ｂの側端部を外枠溝１７ａの補強板嵌込溝１９に嵌め込み、該補強板１９の前面と外枠溝１７ａの前側の内面との間に化粧板下部挿入溝２７を形成し、化粧板６ａの上部を化粧板上部挿入溝４３に挿入すると共に下部を化粧板下部挿入溝２７に挿入し、該化粧板６ａの上部の前面と内枠溝２５ａの前側の内面との間に隙間隠し部材５０を挿入し、化粧板６ａの上部の側端部の後面を化粧板受け具３９の前面に当接して成ることを特徴とする。
【０００６】
上記補助壁２の左右の縦枠４ｃ、４ｄは上下に伸縮可能なものであるため、補助壁２の施工時には各縦枠４ｃ、４ｄを伸縮して床面４９からの天井高さに調節できる。また、面板６を、前面側の化粧板６ａと、化粧板６ａの下部の後面側にのみ配設される補強板６ｂとで構成することで、補強板６ｂにより面板６の下部を補強できる。また、縦枠４ｃ、４ｄにて化粧板６ａの側端部を支持でき、さらには、外枠体１２から上方に突出した内枠体１３の内枠溝２５ａ内の後部に化粧板受け具３９を配設して化粧板受け具３９の前面と内枠溝２５ａの前側の内面との間に化粧板上部挿入溝４３を形成し、化粧板６ａの上部を化粧板上部挿入溝４３に挿入し、化粧板６ａの上部の前面と内枠溝２５ａの前側の内面との間に隙間隠し部材５０を挿入し、化粧板６ａの上部の側端部の後面を化粧板受け具３９の前面に当接することで、化粧板６ａの上部の側端部を縦枠４ｃ、４ｄに設けた化粧板受け具３９とこの前方の内枠溝２５ａの前側の内面との間に隙間隠し部材５０を介して挟持できる。
【発明の効果】
【０００７】
本発明では、補助壁の施工時には各縦枠を伸縮し、各縦枠の長さ、つまり取付枠の高さを床面からの天井高さに簡単に調節でき、補助壁の施工が容易になる。また、面板を、前面側の化粧板と、化粧板の下部の後面側にのみ配設される補強板とで構成することで、補強板により面板の下部を補強でき、この補強された面板の下部に比較的重量のある被取付物を取り付けて支持できる。また、この補強板は化粧板の下部の後面側にのみ設けるので、面板のコストを削減できる。また、化粧基板の上部を切断して化粧板を得ることで、補強板を切断することなく面板の長さを天井高さに合わせることができる。
【０００８】
また、補強板の側端部を外枠溝の補強板嵌込溝に嵌め込んで補強板を強固に支持でき、また、縦枠にて化粧板の側端部を支持でき、さらには化粧板の上部の側端部を縦枠に設けた化粧板受け具とこの前方の内枠溝の前側の内面との間に隙間隠し部材を介して挟持でき、化粧板の背面側に補強板を設けていない部分である上部のがたつきを防止できる。
【発明を実施するための最良の形態】
【０００９】
以下、本発明を添付図面に示す実施形態に基づいて説明する。図１は本実施形態の棚板付補助壁１を部屋の壁からなる建物壁３の前面に沿って立設した状態を示す斜視図であり、図２は棚板付補助壁１の分解斜視図であり、図３は棚板付補助壁１の正面図、側面図、平面図である。
【００１０】
棚板付補助壁１は補助壁２に前方に向けて突出する棚板７を取り付けてなる。補助壁２は床面から天井面に至るように設置されるものであって、矩形状の取付枠４と、取付枠４の中央開口を覆う面板６とで構成してあり、面板６は取付枠４に取り付けられる。補助壁２の面板６には液晶テレビやプラズマテレビに代表される薄型テレビ８ａ等の被取付物８が取り付けられ、また、棚板７にはビデオデッキやＤＶＤプレイヤーのようなＡＶ機器９ａ等の被設置物９が設置される。なお、被取付物８や被設置物９はその他の電気機器であっても良いし、電気機器以外のものであっても良い。
【００１１】
取付枠４は上下の横枠４ａ、４ｂと左右の縦枠４ｃ、４ｄとで構成され、上下の横枠４ａ、４ｂ間及び左右の縦枠４ｃ、４ｄ間のいずれにも桟を架設していない。また、取付枠４の左右の縦枠４ｃ、４ｄは伸縮可能なものであり、これによって取付枠４の上下長さ寸法は施工現場毎に異なる天井高さに合わせて変更可能としてある。
【００１２】
上下の横枠４ａ、４ｂは共に上下厚みの薄い長尺な木質板材で構成してある。上の横枠４ａの下面の前部及び下の横枠４ｂの上面の前部には各横枠４ａ、４ｂの長手方向の全長に亘って横枠側嵌込溝１１を形成している。図５に示すように上の横枠４ａの横枠側嵌込溝１１は面板６の表面を構成する化粧板６ａの上縁部を嵌め込み可能な化粧板上縁嵌込溝１１ａからなる。図４に示すように下の横枠４ｂの横枠側嵌込溝１１は面板６の後面を構成する補強板６ｂの下縁部を嵌め込み可能な補強板下縁嵌込溝１１ｂからなり、補強板下縁嵌込溝１１ｂは化粧板上縁嵌込溝１１ａよりも前側に位置している。
【００１３】
左右の縦枠４ｃ、４ｄは縦長の外枠体１２及び内枠体１３で構成してあり、各縦枠４ｃ、４ｄの外枠体１２及び内枠体１３はアルミニウム製で押出成形により形成された中空型材からなる。図６に示すように各外枠体１２の内側には内枠体１３の外周形状と略相似形状で且つ内枠体１３よりも若干大きい内枠体挿入孔１４を全長に亘って形成してあり、図８のように内枠体１３は外枠体１２内の内枠体挿入孔１４に上下方向に移動自在に収納され、内枠体１３の外枠体１２からの上方への突出長さを調節することで縦枠４ｃ、４ｄを伸縮させて上下長さを調節する。
【００１４】
図６（ｂ）に示すように各外枠体１２の取付枠４の内側（中央開口側）に位置する側面部の前部には、外面側が取付枠４の内側に開口した外枠溝１７ａとなり且つ内面側が外枠体１２の内方に突出する突曲面１７ｂとなった曲成部１７を外枠体１２の長手方向の全長に亘って形成している。各曲成部１７の前部には外枠溝１７ａの後部の溝底が前部の溝底よりも一段深くなるように段部１８を形成してあり、これにより段部１８の後方に位置する外枠溝１７ａの後部に補強板嵌込溝１９を形成している。
【００１５】
各外枠体１２の取付枠４の外側に位置する側面部には、外面側が取付枠４の外側に開口した下外側溝２０ａとなった曲部２０を外枠体１２の長手方向の全長に亘って形成している。各外枠体１２の曲部２０の下端部において下外側溝２０の溝底を構成する部分にはキャップ取付孔２２ａ（図４参照）を穿設し、また各外枠体１２の取付枠４の内側に位置する側面部においてキャップ取付孔２２ａに対向する位置にはキャップ取付孔２２ｂ（図２参照）を穿設している。両キャップ取付孔２２ａ、２２ｂには図２５に示す配線キャップ２４が取り付けられ、該配線キャップ２４に設けた引き出し孔２３を介して各縦枠４ｃ、４ｄの両側が連通する。各外枠体１２の下外側溝２０の配線キャップ２４を設けた部分以外の箇所には後述の下外側溝２０の溝底に挿通した取付ねじ３０ｄ、３０ｅ、３０ｈ、３０ｉ、３０ｊを覆い隠す下側面カバー３８が取り付けられる。
【００１６】
図７（ｂ）に示すように各内枠体１３の取付枠４の内側（中央開口側）に位置する側面部の前部には外面側が取付枠４の内側に開口した内枠溝２５ａとなった凹曲部２５を内枠体１３の長手方向の全長に亘って形成している。図８のように外枠体１２に挿入された内枠体１３の内枠溝２５ａには外枠体１２の内方に突出した曲成部１７が上下方向に移動自在に挿入される。各内枠体１３の内枠溝２５ａは外枠体１２の外枠溝１７ａに連続し、これにより各縦枠４ｃ、４ｄの取付枠４内側に位置する外側面には長さ方向の全長に亘って外枠溝１７ａと内枠溝２５ａとからなる直線状の縦枠側嵌込溝１５が形成される。縦枠側嵌込溝１５の長さ寸法は縦枠４ｃ、４ｄの伸縮と共に変化し、後述のように外枠体１２から内枠体１３を上方に突出させた状態における縦枠４ｃ、４ｄの取付枠４内側に位置する側面には常に各縦枠４ｃ、４ｄの長さ方向の全長に亘って縦枠側嵌込溝１５が形成される。
【００１７】
また、図７に示すように各内枠体１３の凹曲部２５の前部には内枠溝２５ａの後部の溝底が前部の溝底よりも一段深くなるように段部２６を形成している。外枠体１２に挿入された内枠体１３の段部２６は外枠体１２の段部１８の内面に沿う。各内枠体１３の取付枠４の外側に位置する側面部には外面側が取付枠４の外側に開口する上外側溝２８ａとなった凹状曲部２８を内枠体１３の長手方向の全長に亘って形成してあり、外枠体１２に挿入された内枠体１３の上外側溝２８ａには外枠体１２の内方に突出する曲部２０が上下方向に移動自在に挿入される。また、各縦枠４ｃ、４ｄの外枠体１２から上方に突出した内枠体１３の上外側溝２８には後述の上外側溝２８の溝底に挿通した取付ねじ３０ｃ、３０ｇを覆い隠す長尺な上側面カバー２９が取り付けられる。
【００１８】
図８等に示すように上記各縦枠４ｃ、４ｄの外枠体１２から上方に突出した内枠体１３の内枠溝２５ａ内の後部には長尺な化粧板受け具３９が配設される。化粧板受け具３９の長さは内枠体１３の外枠体１２からの上方への突出長さよりもやや短く、外枠体１２より突出した内枠体１３の下端よりもやや上方の位置から上方に向かって設けられ、外枠体１２より突出した内枠体１３の下端部には設けられない。
【００１９】
図１０のように化粧板受け具３９は、内枠溝２５ａの溝底に挿通した取付ねじ３０ａのねじ止めにより固着される固着片部４０と、固着片部４０の前端部から取付枠４の内側に突出する受け片部４１とからなる水平断面Ｌ字状のＬ字状片部４２を有しており、固着片部４０が内枠溝２５ａの溝底に当接し、且つ固着片部４０の後端面が内枠溝２５ａの後側の内面に当接した状態で、化粧受け具３９は内枠溝２５ａの内面に沿って取り付けられる。受け片部４１の幅寸法は、図８のように受け片部４１の先端部が下方の外枠体１２よりも取付枠４内側に向かって突出する長さであり、化粧板受け具３９の受け片部４１の前面と内枠溝２５ａの前側の内面との間には化粧板上部挿入溝４３が形成される。また、各化粧板受け具３９の受け片部４１の先端部は外枠体１２の外枠溝１７ａの前部の浅い溝底よりも取付枠４内側に向かって突出するので、内枠体１３が外枠体１２に対して下方（挿入方向）に移動した場合には、内枠体１３に設けた化粧板受け具３９の受け片部４１の下端が外枠体１２の外枠溝１７ａの底部を構成する曲成部１７に当たることとなり、これにより外枠体１２から上方に突出した内枠体１３の下方への移動は化粧板受け具３９の受け片部４１によって規制される。
【００２０】
上記左右の縦枠４ｃ、４ｄの上部を構成する内枠体１３の上端部及び下部を構成する外枠体１２の下端部は上下の横枠４ａ、４ｂに固着され、これにより縦長長方形状の取付枠４が形成される。
【００２１】
図２に示すように面板６は前面側の化粧板６ａと化粧板６ａの下部の後面に配設される合板からなる補強板６ｂの２枚の板材で構成してある。化粧板６ａ及び補強板６ｂは共に厚みが均一な略縦長長方形状に形成してあり、補強板６ｂは化粧板６ａよりも厚く高強度である。補強板６ｂの幅寸法は化粧板６ａの幅寸法よりも若干長く、取付枠４に取り付けた状態では図８に示すように補強板６ｂの両側端部が化粧板６ａよりもわずかに外側に突出する。また、補強板６ｂの上下長さは左右の外枠体１２の長さよりもやや短く、取付枠４に取り付けた状態では図３に示すように補強板６ｂの上端面が左右の外枠体１２の上端と同レベルに位置する。
【００２２】
面板６は上記化粧板６ａの下部の後面に補強板６ｂを重ね合わせて構成されるものであるが、ここで図３に示すように面板６の被取付物８の取付位置となる中央部には配線導入孔４４を形成してあり、また、後述の配線カバー３６の取付位置となる面板６の下端部には矩形状の配線作業用開口３３を形成している。また、後述の棚板受け具５６の取付位置となる面板６の下部の中央部には矩形状の配線挿通孔５３を形成してあり、該配線挿通孔５３は配線導入孔４４よりも下方で且つ各配線作業用開口３３よりも上方に位置している。
【００２３】
図２に示すように、配線導入孔４４は、化粧板６ａの中央部に形成した孔４４ａと、補強板６ｂの孔４４ａに対応する位置に形成した孔４４ｂとで構成してあり、配線挿通孔５３は、化粧板６ａの下部に形成した開口５３ａと、補強板６ｂの開口５３ａに対応する位置に形成した開口５３ｂと構成してある。また、化粧板６ａの下端部の両端部及び中央部に切欠３１を形成し、補強板６ｂの各切欠３１に対応する下端部の両側端部及び中央部に切欠３２を形成し、化粧板６ａの各切欠３１とこれに対応する補強板６ｂの切欠３２とで配線作業用開口３３を形成してあり、これにより面板６の下端部の両側端部及び中央部の計３箇所に配線作業用開口３３を形成している。中央の配線作業用開口３３ａの開口面積は後述の建物壁３の前面に設けられるコンセントプレート３４の面積よりも大きく、コンセントプレート３４を面板６の前面側に露出させる開口部を兼用している。又、両側の配線作業用開口３３ｂは前述の各縦枠４ｃ、４ｄの下端部に設けた引き出し孔２３に対応する位置に形成される。
【００２４】
また、化粧板６ａの前面の下端部にはねじ（図示せず）により複数のカバー取付具３５が取り付けられ、これらカバー取付具３５には図４のように各配線作業用開口３３の前方を覆う横長の配線カバー３６の背面に形成した引掛け部３７が引掛け係止され、これにより面板６の前面下端部に配線カバー３６が着脱自在に取り付けられる。
【００２５】
上記補助壁２の施工は、取付枠４の上の横枠４ａを天井に固着すると共に下の横枠４ｂを床面４９に設置し、一方の縦枠４ｃを床面４９からの天井高さと略同じ長さに調節してその上下両端部を上下の横枠４ａ、４ｂに固着し、面板６の一側端部を前記一方の縦枠４ｃで支持させ、他方の縦枠４ｄを床面からの天井高さと略同じ長さに調節してその上下両端部を上下の横枠４ａ、４ｂに固着し、該他方の縦枠４ｄで面板６の他側端部を支持させるものであり、以下に補助壁２の施工方法の一例を示す。なお、補助壁２の各部材の施工順序は以下に示すものに限定されず、適宜変更可能である。
【００２６】
まず、図１１のように上の横枠４ａの上面を天井を構成する天井板４７の下面に当接すると共に後端面を建物壁３の前面に当接し又は近傍に位置させ、この状態で上の横枠４ａの長手方向の複数箇所を取付ねじ３０ｂにより天井板４７を介して天井板４７の上面に設けた天井下地材４８に固着する。
【００２７】
次に、図１３のように下の横枠４ｂの床面４９の上の横枠４ａに対応する位置に設置する。この時、下の横枠４ｂは載置されるだけで床面４９には固着されない。また、前述の化粧板受け具３９を取付けた縦枠４ｃ、即ち、内枠体１３を外枠体１２から上方に突出した縦枠４ｃを立設予定箇所に立て、該縦枠４ｃの内枠体１３を上端面が天井板４７の下面に突き当たるまで上方に移動し、これにより縦枠４ｃの長さを立設箇所の床面４９からの天井高さに一致させると共に内枠体１３の上端部の側面を上の横枠４ａの側端面に当接する。そして、この状態で縦枠４ｃの内枠体１３の上外側溝２８の上端部の溝底より取付ねじ３０ｃを挿入し、該取付ねじ３０ｃにより縦枠４ｃの内枠体１３の上端部を上の横枠４ａの一側端部に固着し、また、外枠体１２の下外側溝２０の下端部の溝底より取付ねじ３０ｄを挿入し、該取付ねじ３０ｄにより縦枠４ｃの外枠体１２の下端部を下の横枠４ｂの一側端部に固着する。
【００２８】
次に、図１４のように補強板６ｂを他方の縦枠４ｄを設けていない取付枠４内に縦枠４ｃと反対側の側方から又は前方から挿入し、該補強板６ｂの一方の側縁部を縦枠４ｃの外枠体１２の外枠溝１７ａの補強板嵌込溝１９に嵌め込む（図９参照）と共に、補強板６ｂの下縁部を下の横枠４ｂの補強板下縁嵌込溝１１ｂに嵌め込み（図４参照）、これにより補強板６ｂを下の横枠４ｂの補強板下縁嵌込溝１１ｂの溝底上に載置する。そして、この状態で図１４のように縦枠４ｃの外枠体１２の下外側溝２０の底部の上下複数箇所より取付ねじ３０ｅを挿入し、これら取付ねじ３０ｅにより縦枠４ｃの外枠体１２を補強板６ｂの縦枠４ｃ側の側端部に固着する。また、これにより補強板６ｂの縦枠４ｃ側の側部の前面と縦枠４ｃの外枠溝１７ａの前側の内面との間に化粧板下部挿入溝２７が形成される（図９参照）。また、図１４のように下の横枠４ｂの各配線作業用開口３３ｂを構成する切欠３２に臨む補強板下縁嵌込溝１１ｂの溝底より取付ねじ３０ｆを挿入し、該取付ねじ３０ｆにより下の横枠４ｂを床に固着する。
【００２９】
次に図１５のように化粧板６ａを未だ縦枠４ｄを設けていない取付枠４内に縦枠４ｃと反対側の側方から挿入する。この時、化粧板６ａは、上の横枠４ａの化粧板上縁嵌込溝１１ａに化粧板６ａの上縁部が挿入された状態で、下端面が下の横枠４ｂの横枠側嵌込溝１１よりも前方部の上面に沿い且つ後面が補強板６ｂの前面に沿って縦枠４ｃ側に移動する。そして、図５のように化粧板６ａの上縁部が上の横枠４ａの化粧板上縁嵌込溝１１ａに嵌まり込み、また図９に示すように化粧板６ａの縦枠４ｃ側の側縁部の外枠体１２に対応する下部が上述の補強板６ｂの前面と縦枠４ｃの外枠溝１７ａの前側の内面との間に形成された化粧板下部挿入溝２７に挿入されるまで差し込まれ、この状態では化粧板６ａは図４のように下の横枠４ｂの補強板下縁嵌込溝１１ｂよりも前方部上に載置される。なお、上記化粧板６ａは現場における天井高さに応じて化粧基板（図示せず）の上部を切断することで得られるものである。
【００３０】
次に、図１６に示すように前述の化粧板受け具３９を取付けた縦枠４ｄ、即ち内枠体１３を外枠体１２から上方に突出した状態にある他方の縦枠４ｃを立設予定箇所に立て、一方の縦枠４ｄと同様に、該縦枠４ｄの内枠体１３を上端面が天井板４７の下面に突き当たるまで上方に移動し、これにより縦枠４ｃの長さを立設箇所の床面４９からの天井高さに一致させると共に内枠体１３の上端部の側面を上の横枠４ａの側端面に当接し、この状態で縦枠４ｄの内枠体１３の上外側溝２８の上端部の溝底より取付ねじ３０ｇを挿入し、該取付ねじ３０ｇにより縦枠４ｄの内枠体１３の上端部を上の横枠４ａの一側端部に固着する。また、縦枠４ｄの外枠体１２の下外側溝２０の下端部の溝底より取付ねじ３０ｈを挿入し、該取付ねじ３０ｈにより縦枠４ｄの外枠体１２の下端部を下の横枠４ｂの一側端部に固着する。また、上記縦枠４ｄを取り付ける時には、補強板６ｂの縦枠４ｄ側の側縁部を反対側の側縁部と同様に縦枠４ｄの外枠体１２の外枠溝１７ａの補強板嵌込溝１９に嵌め込むと共に、補強板６ｂの縦枠４ｄ側の側部の前面と縦枠４ｄの外枠溝１７ａの前側の内面との間に形成された化粧板下部挿入溝２７に化粧板６ａの縦枠４ｄ側の側縁部の外枠体１２に対応する下部を挿入する。これにより補強板６ｂは下縁部及び両側縁部の三方が、下の横枠４ｂの補強板下縁嵌込溝１１ｂ、縦枠４ｃ、４ｄの外枠体１２の補強板嵌込溝１９の夫々に嵌め込まれる。次に縦枠４ｄの外枠体１２の下外側溝２０の底部の上下複数箇所より取付ねじ３０ｉを挿入し、これら取付ねじ３０ｉにより縦枠４ｄの外枠体１２を補強板６ｂの縦枠４ｄ側の側端部に固着する。
【００３１】
次に、各縦枠４ｃ、４ｄの内枠体１３の内枠溝２５ａの前側の内面と化粧板６ａの上部の前面との間に形成された隙間５１（図１０参照）に隙間隠し部材５０を挿入し、これにより化粧板６ａは上縁部及び両側縁部の三方が、上の横枠４ａの化粧板上縁嵌込溝１１ａ及び各縦枠４ｃ、４ｄの縦枠側嵌込溝１５の夫々に嵌め込まれる。各隙間隠し部材５０の長さは外枠体１２から上方に突出する内枠体１３の下端（外枠体１２と内枠体１３との継ぎ目）から上の横枠４ａの下面までの距離と略同じであり、外枠体１２から上方に突出する内枠体１３の下端から上の横枠４ａの下面に至るまで形成される隙間５１の長さ方向の全長に亘って挿入される。各隙間隠し部材５０は長尺な弾性体からなり、断面略コ字状に形成されている。各隙間隠し部材５０は両側片の先端を内枠溝２５ａの溝底側に向けた状態で隙間５１に圧入される。これにより化粧板６ａの上部の両側端部は縦枠４ｃ、４ｄに設けた化粧板受け具３９とこの前方の内枠溝２５ａの前側の内面との間に隙間隠し部材５０を介して挟持され、化粧板６ａの上部の両側端部の後面は化粧板受け具３９の受け片部４１の前面に押し当てられることとなり、結果、化粧板６ａの背面側に補強板６ｂを設けていない部分である上部のがたつきを防止できる。なお、各隙間隠し部材５０は長尺な隙間隠し基材（図示せず）を切断することで得られる。
【００３２】
次に、各縦枠４ｃ、４ｄの外枠体１２の下外側溝２０の上部の溝底に複数の取付ねじ３０ｊを挿通し、これら取付ねじ３０ｊを各縦枠４ｃ、４ｄ内の内枠体１３の下部に固着し、各縦枠４ｃ、４ｄの内枠体１３を外枠体１２に本固定する。
【００３３】
次に、図１７に示すように、各縦枠４ｃ、４ｄの上外側溝２８及び下外側溝２０に上側面カバー２９及び下側面カバー３８を取り付ける。また、化粧板６ａの前面の下端部に複数のカバー取付具３５を介して配線カバー３６を取り付け、該配線カバー３６により化粧板６ａの各配線作業用開口３３を形成した下端部の幅方向の全長に亘る部分を覆う。
【００３４】
上記のように建物壁３の前面に沿って補助壁２を立設すると、面板６と建物壁３の前面との間に桟のない取付枠４によって囲まれた配線スペース５２（図８〜図１０参照）が形成され、この配線スペース５２には面板６に形成した配線導入孔４４及び各配線作業用開口３３及び配線挿通孔５３が連通する。
【００３５】
ここで、図４に示すように上下の横枠４ａ、４ｂの幅は左右の縦枠４ｃ、４ｄの幅よりも長く、各横枠４ａ、４ｂの後端と各縦枠４ｃ、４ｄの外枠体１２の後端は前後方向において同位置にあるが、各横枠４ａ、４ｂの前端は各縦枠４ｃ、４ｄの外枠体１２よりも前方に位置し、これによって前記取付状態にある配線カバー３６は取付枠４の内側に位置し、外観が良い。
【００３６】
次に上記補助壁２の前面に取り付けられる棚板７及び該棚板７を補助壁２に取り付けるための棚板受け具５６について説明する。
【００３７】
図２に示すように棚板７を受ける棚板受け具５６として、棚板７の後端部の中央部を支持する棚板受け具５６ａと、棚板７の後端部の両側部の夫々を支持する棚板受け具５６ｂを備えている。
【００３８】
図１８に示すように棚板７の後端部中央を受ける棚板受け具５６ａは金属板を折曲及び又は溶接して形成したものである。棚板受け具５６ａの後端部には補助壁２の前面に取り付けられる取付部６６を設け、棚板受け具５６ａの上端部には棚板７を支持する支持部６５を設けている。また、棚板受け具５６ａには上方及び後方に開口する配線ガイド用凹溝７６を形成している。
【００３９】
具体的には、棚板受け具５６ａは、後側に向かって下り傾斜した底部を構成する矩形状の傾斜板部６３と、傾斜板部６３の両側縁から立ち上げた三角形状の側板部６４を備え、傾斜板部６３と両側板部６４で配線ガイド用凹溝７６を形成している。また、傾斜板部６３の前縁を構成する上端から前方に突出した横長長方形状の支持板部６５ａと、両側板部６４の後縁から外側方に突出した縦長長方形状の取付板部６６ａを備えている。各側板部６４の上端面と支持板部６５ａは水平で棚板７の下面と平行となり、また、各取付板部６６ａは垂直で化粧板６ａの前面と平行となる。支持板部６５ａには複数のねじ挿通孔６９を穿設してあり、該支持板部６５ａで支持部６５を構成している。また、各取付板部６６ａには複数のねじ挿通孔７０を穿設してあり、各取付板部６６ａで取付部６６を構成している。
【００４０】
図２０等に示すように棚板７の後端部の側部を受ける各棚板受け具５６ｂは金属板を折曲及び又は溶接して形成したものであり、縦片部７１と、縦片部７１の上端から前方に突出した横片部７２を備えている。各棚板受け具５６ｂの縦片部７１は垂直で化粧板６ａの前面と平行となり、横片部７２は水平で棚板７の下面と平行となり、縦片部７１及び横片部７２の夫々には複数のねじ挿通孔７３を穿設している。
【００４１】
図２１のように棚板７は長方形状に形成され、補助壁２の下部に幅方向の全長に亘って取り付けられ、補助壁２に取り付けられる被取付物８よりも下方で且つ配線カバー３６よりも上方に位置する。棚板７の後端部の両側端部には縦枠４ｃ、４ｄの外枠体１２を挿通させる挿通用切欠５７を形成してあり、両挿通用切欠５７間に後方に突出する後方突部５８を形成している。また、図１９に示すように棚板７の後部において上記棚板受け具５６ｂの配線ガイド用凹溝７６の上開口に対応する位置、即ち後端部の中央部には矩形状のキャップ取付口５９を設けている。キャップ取付口５９にはキャップ取付口５９を閉塞する平面視矩形状の配線キャップ６０が取り付けられる。配線キャップ６０の後端部の中央には棚板７の上下を連通させる配線挿通用開口６２を形成してあり、配線挿通用開口６２の前縁部には配線挿通用開口６２を開閉する蓋部６１を回動自在に設けている。なお、前述の補助壁２の面板６に設けた配線挿通孔５３は棚板受け具５６ｂの配線ガイド用凹溝７６の後開口に対応する位置に形成されている。
【００４２】
棚板７を補助壁２に取り付けるには、図２０に示すように、まず各棚板受け具５６ａ、５６ｂをねじ具７５により補助壁２に取り付ける。棚板受け具５６ａを補助壁２に取り付けるには、棚板受け具５６ａの両側の取付板部６６ａを面板６の化粧板６ａの前面の配線挿通孔５３の両外側部分に当接し、両取付板部６６ａの各ねじ挿通孔７０に前方からねじ具７５を挿通し、これらねじ具７５を面板６の化粧板６ａを通して補強板６ｂに固着し、これによって両取付板部６６ａを補助壁２に固着する。この取付状態では、配線ガイド用凹溝７６の後開口が面板６の配線挿通孔５３に対向する。また、棚板受け具５６ａの傾斜板部６３は面板６の配線挿通孔５３の前方に位置し、傾斜板部６３及び両側の側板部６４で配線挿通孔５３が覆い隠される。また、各棚板受け具５６ｂは、縦片部７１の各ねじ挿通孔７３に前方からねじ具７５を挿通し、これらねじ具７５を面板６の化粧板６ａを通して補強板６ｂに固着し、縦片部７１を補助壁２に取り付ける。
【００４３】
次に図２１に示すように、棚板７の後方突部５８を左右の縦枠４ｃ、４ｄ間に嵌め込むと共に各棚板受け具５６ａ、５６ｂ上に棚板７を載置し、この状態でねじ具７５により各棚板受け具５６ａ、５６ｂを棚板７に取り付ける。棚板受け具５６ａを棚板７に取り付けるには、棚板７の後部を支持板部６５ａの上面及びこれと面一となった各側板部６４の上端面に載置し、支持板部６５ａの各ねじ挿通孔６９に下方からねじ具７５を挿通し、これらねじ具７５を棚板７に固着し、これによって支持板部６５ａを棚板７に固着して棚板７を支持する。この取付状態では、棚板受け具５６ａの傾斜板部６３は棚板７の配線挿通用開口６２の下方に位置し、配線ガイド用凹溝７６の上開口が配線挿通用開口６２に対向する。詳細には配線ガイド用凹溝７６の後端部の中央部分が配線挿通用開口６２の下方に位置して対向する。これにより、棚板７の配線挿通用開口６２は配線ガイド用凹溝７６の内部及び面板６の配線挿通孔５３を介して配線スペース５２に連通し、棚板７上の配線７９を配線スペース５２に導くための配線通路８２（図１９参照）が形成される。また、各棚板受け具５６ｂは横片部７２の各ねじ挿通孔７３にねじ具７５を挿通し、これらねじ具７５を棚板７に固着して横片部７２を棚板７に取り付ける。なお、本例の支持部６５（支持板部６５ａ）は棚板７の下面に固着されるものであるが、支持部６５としてはこれに限定されず、例えば棚板７が部分的に嵌め込まれる等して棚板７が固定されるものであっても良いし、また、棚板７が固定されずに単に載置されるものであっても良く、即ち支持部６５は棚板７を支持するものであれば良いものとする。
【００４４】
ここで、上記棚板受け具５６ａの傾斜板部６３はその後縁部が面板６の配線挿通孔５３の下縁部に対向する。このため配線ガイド用凹溝７６の内面は後述するように配線７９を配線挿通孔５３へと導くガイドの役割を果たすことが可能となる。また、面板６の配線挿通孔５３は上記のように取り付けた棚板７の上面よりも下方に位置する。また、図２２に示すように各棚板受け具５６ｂにはねじ具７５により棚板受け具５６ｂの全体を覆い隠す側面視直角三角形状の受け具カバー７４が取り付けられる。
【００４５】
上記のように設置された棚板付補助壁１の補助壁２には図１に示すように被取付物８が取り付けられ、また、棚板７上には被設置物９が設置される。
【００４６】
ここで補助壁２に図１に示すような薄型テレビ８ａ等の比較的重量のある被取付物８を取り付ける場合には、被取付物８を面板６において化粧板６ａの後面に補強板６ｂを設けた部分、即ち面板６の下部に取り付ける。
【００４７】
また、被取付物８として薄型テレビ８ａ等を取り付ける場合には、例えば図２３に示す取付金具７７（壁掛け金具）が利用される。図２３に示すように取付金具７７は面板６の下部に取り付けられ、該取付金具７７に薄型テレビ８ａを取り付けることで薄型テレビ８ａが固定される。ここで、取付金具７７の面板６への取り付けは、取付金具７７の前方から挿通した複数のねじ具７８を面板６の化粧板６ａを通して補強板６ｂに固着し、これにより取付金具７７を面板６に取り付けるものである。
【００４８】
上記のように比較的重量のある被取付物８を面板６において補強板６ｂを設けた部分に取り付けることで被取付物８を補強板６ｂで支持することができ、化粧板６ａが破損することを防止できる。また、補強板６ｂを化粧板６ａの一部の後面側にのみ設けたので面板６のコストを削減できる。また、面板６を化粧板６ａと補強板６ｂで構成することで面板６の長さを天井高さに合わせる場合には化粧板６ａを構成する化粧基板の上部を切断するだけで簡単に行えるといった利点もある。また、上記のように被取付物８を支持する補強板６ｂの下縁部が嵌め込まれる下の横枠４ｂには大きな荷重がかかるものであり、この下の横枠４ｂにおける補強板下縁嵌込溝１１ｂの前方部の厚みが薄い場合には破損する恐れがある。しかし、本例では図４に示すように化粧板６ａを横枠４ｂの補強板下縁嵌込溝１１ｂの前方部上に載置してあり、下の横枠４ｂに化粧板６ａの下縁部を嵌め込むための溝を形成していない。このため補強板下縁嵌込溝１１ｂの前方部の厚みを長く取ることができ、前述の下の横枠４ｂの破損を防止できる。
【００４９】
ここで、上記のように補助壁２に電気機器からなる被取付物８を取り付けたり、棚板７に電気機器からなる被設置物９を設置する場合、被取付物８や被設置物９に電源線や情報線等の配線７９を接続する必要があり、その配線例の一例を図２４に示す。
【００５０】
図２４では、棚板補助壁１の面板６の下端部中央に設けた配線作業用開口３３ａを建物壁３に設けた既設又は新設のコンセントプレート３４に対向する位置に配置し、配線カバー３６を取り外した状態でコンセントプレート３４が配線作業用開口３３ａを介して面板６の前面側に露出するようにしてあり、このものにおいて補助壁２に薄型テレビ８ａを取り付け且つ棚板７の前部にＡＶ機器９ａを設置し、薄型テレビ８ａ及びＡＶ機器９ａに接続された配線７９を配線接続部を構成する建物壁３の下部に設けたコンセントプレート３４のコンセント３４ａやコネクタ３４ｂに接続し、また薄型テレビ８ａとＡＶ機器９ａを他の配線７９で接続している。
【００５１】
具体的には、薄型テレビ８ａの背面に接続した２本の配線７９を面板６の配線導入孔４４を介して配線スペース５２に導入し、一方の配線７９をコンセントプレート３４のコンセント３４ａに接続し、他方の配線７９を配線挿通用開口６２、配線ガイド用凹溝７６、配線挿通孔５３で構成される配線通路８２を介して棚板７上に導出し、ＡＶ機器９ａの背面に接続している。また、ＡＶ機器９ａの背面に接続した他の２本の配線７９を前記配線通路８２を介して配線スペース５２に導入し、コンセントプレート３４のコンセント３４ａやコネクタ３４ｂに接続している。なお、コンセントプレート３４のコンセント３４ａやコネクタ３４ｂへの配線７９の接続は配線カバー３６を面板６から取り外した状態で配線作業用開口３３ａから手を入れて行うものである。
【００５２】
上記のように本実施形態の棚板付補助壁１にあっては、配線スペース５２を利用して薄型テレビ８ａやＡＶ機器９ａに接続される配線７９を引き回し、建物壁３のコンセント３４ａやコネクタ３４ｂからなる配線接続部に接続でき、配線スペース５２に収納された配線７９が面板６やこれに取り付けた配線カバー３６によって覆い隠すことができ見栄えが良い。また、この配線スペース５２は桟のない取付枠４に囲まれた空間であるため容易に配線作業を行うことができる。
【００５３】
また、棚板７の後部に設けた配線挿通用開口６２及びこれに導入される配線７９は前方から見え難い位置にあり、また、棚板７の前部に設置した被設置物９によって覆い隠すこともでき、さらには補助壁２の配線挿通孔５３及びこれに導入された配線７９も棚板７を支持する棚板受け具５６ａによって覆い隠すことでき、これらにより外観を向上できる。また、棚板受け具５６ａの配線ガイド用凹溝７６の内面を棚板７の配線挿通用開口６２から導入された配線７９を面板６の配線挿通孔５３へと導くガイドとして利用できる。
【００５４】
また、上記例では面板６の配線作業用開口３３ａを建物壁３に設けたコンセントプレート３４に対向する位置に配置した例を示したが、本例の棚板補助壁１は図２５のようにコンセントプレート３４が補助壁２の背方に位置せず外側に位置する場合にも対応できる。即ち、図２５の例では薄型テレビ８ａやＡＶ機器９ａに接続された配線スペース５２内の配線７９を縦枠４ｃ、４ｄの下端部に設けた引き出し孔２３を介して外側方に引き出し、これを取付枠４の外側に位置するコンセントプレート３４のコンセント３４ａやコネクタ３４ｂに接続してある。ここで配線スペース５２内の配線７９を引き出し孔２３から引き出す作業は面板６の側端部に設けた配線作業用開口３３ｂから手を入れて行うものである。
【００５５】
なお、上記実施形態では補助壁２に棚板７を取り付けたが、棚板７は取り付けなくても良く、この場合、面板６の化粧板６ａを配線挿通孔５３を設けていない他の面板６に変更するだけで対応でき、補強板６ｂを兼用できるという利点がある。
【図面の簡単な説明】
【００５６】
【図１】本発明の棚板付補助壁の設置状態を示す斜視図である。
【図２】棚板付補助壁の分解斜視図である。
【図３】棚板付補助壁を示し、（ａ）は正面図、（ｂ）は側面図、（ｃ）は平面図である。
【図４】図３（ｂ）のＡ部拡大図である。
【図５】図３（ｂ）のＢ部拡大図である。
【図６】外枠体を示し、（ａ）は側面図であり、（ｂ）は平面図である。
【図７】内枠体を示し、（ａ）は側面図であり、（ｂ）は平面図である。
【図８】内枠体部分の水平断面図である。
【図９】外枠体部分の水平断面図である。
【図１０】図８の外枠体や補強板の図示を省略した水平断面図である。
【図１１】上の横枠の天井への取付方法を示す斜視図である。
【図１２】化粧板受け具の取付方法を示す斜視図である。
【図１３】一方の縦枠の取付方法を示す斜視図である。
【図１４】補強板の取付方法を示す斜視図である。
【図１５】化粧板の取付方法を示す斜視図である。
【図１６】他方の縦枠の取付方法を示す斜視図である。
【図１７】上下の側面カバーの取付方法を示す斜視図である。
【図１８】棚板受け具５６ａの斜視図である。
【図１９】配線キャップ６０の取付方法を示す斜視図である。
【図２０】棚板受け具の補強壁への取付方法を示す斜視図である。
【図２１】棚板受け具の棚板への取付方法を示す斜視図である。
【図２２】受け具カバーの取付方法を示す斜視図である。
【図２３】取付金具の取付方法を示す斜視図である。
【図２４】配線例を示す斜視図である。
【図２５】他の配線例を示す斜視図である。
【符号の説明】
【００５７】
２  補助壁
３  建物壁
４  取付枠
４ａ  上の横枠
４ｂ  下の横枠
４ｃ  一方の縦枠
４ｄ  他方の縦枠
６  面板
６ａ  化粧板
６ｂ  補強板
１２  外枠体
１３  内枠体
１７ａ  外枠溝
１７ｂ  突曲面
１７  曲成部
１９  補強板嵌込溝
２５ａ  内枠溝
２７  化粧板下部挿入溝
３９  化粧板受け具
４３  化粧板上部挿入溝
５０  隙間隠し部材
【図１】
0004798111.tif 000002
【図２】
0004798111.tif 000003
【図３】
0004798111.tif 000004
【図４】
0004798111.tif 000005
【図５】
0004798111.tif 000006
【図６】
0004798111.tif 000007
【図７】
0004798111.tif 000008
【図８】
0004798111.tif 000009
【図９】
0004798111.tif 000010
【図１０】
0004798111.tif 000011
【図１１】
0004798111.tif 000012
【図１２】
0004798111.tif 000013
【図１３】
0004798111.tif 000014
【図１４】
0004798111.tif 000015
【図１５】
0004798111.tif 000016
【図１６】
0004798111.tif 000017
【図１７】
0004798111.tif 000018
【図１８】
0004798111.tif 000019
【図１９】
0004798111.tif 000020
【図２０】
0004798111.tif 000021
【図２１】
0004798111.tif 000022
【図２２】
0004798111.tif 000023
【図２３】
0004798111.tif 000024
【図２４】
0004798111.tif 000025
【図２５】
0004798111.tif 000026